(57)【特許請求の範囲】
【請求項１】
ボイスメール、Ｅメール及び電話の送受信を行う通信機能とメモリに蓄積した音楽を再生する音楽再生機能とを有する携帯端末の通信方法において、
前記音楽再生中にボイスメールの着信を検出するステップと、
前記ボイスメールの着信が検出されると音楽再生を中断してボイスメールを受信したことを音声で知らせるステップと、
マイクロフォンから入力されたユーザの音声指示を音声認識するステップと、  前記音声指示の音声認識結果からボイスメールを返信するかどうかを判定するステップと、
前記返信すると判定した場合は、その後、前記マイクロフォンから入力するユーザの返信ボイスメールを前記メモリに一旦保存するステップと、
前記返信ボイスメールの保存が終了すると、前記音楽の再生に戻るステップと、
返信のために前記メモリに保存してあった返信ボイスメールを読み出すステップと、
を有することを特徴とする携帯端末の通信方法。
【請求項２】
ボイスメール、Ｅメール及び電話の送受信を行う通信機能とメモリに蓄積した音楽を再生する音楽再生機能とを有する携帯端末の通信方法において、
前記音楽再生中にコマンドキーが押されたことを検出するステップと、
前記コマンドキーが押されたことが検出されると音楽再生レベルを落とすか又は音楽再生を中断するステップと、
前記マイクロフォンから入力されたユーザのボイスメールを送信する旨の音声指示を音声認識するステップと、
前記ボイスメールの宛先を確認する音声を発生するステップと、
前記マイクロフォンからのユーザの音声指示を音声認識した結果から宛先確認の是非を判定するステップと、  前記ユーザの音声指示から宛先が正しいと判定するとボイスメールを入力することを促す音声を発生するステップと、
前記マイクロフォンから入力されたボイスメールを前記メモリに一旦保存するステップと、
前記ボイスメールの保存が終了すると、前記音楽の通常再生に戻るステップと、
前記宛先に送信するために前記メモリに保存してあったボイスメールを読み出すステップと、
を有することを特徴とする携帯端末の通信方法。
【発明の詳細な説明】
【０００１】
【発明の属する技術分野】
本発明は、通信機能の他に音楽再生機能を有する携帯端末に係り、特に音楽再生中の通信方法に関する。
【０００２】
【従来の技術】
従来より、ＰＨＳや携帯電話などの無線通信システムを通して音楽などの配信を受けて再生できる携帯端末が公知となっている。このような携帯端末で音楽を再生している時に、ボイスメールやＥメール等の着信があった場合、音楽再生に対して割り込みで、ユーザーに前記着信を知らせ適切な応答を行わなければならない。
【０００３】
【発明が解決しようとする課題】
しかし、上記のような音楽再生機能と通信機能等の複数のサービスを提供できる携帯端末では、二つ以上の機能が競合する際に、それぞれの機能の操作性を損なわずに、総合的なサービスをユーザーに提供できなくては複数のサービスを一つの端末装置に搭載した意味がなくなる。
【０００４】
それ故、例えば音楽再生中に通信機能を的確に操作性良く動作させる仕組みをもった携帯端末の開発が不可欠である。
【０００５】
本発明は、上述の如き従来の課題を解決するためになされたもので、その目的は、音楽再生中に通信機能を的確に且つ操作性良く動作させることができる携帯端末の通信方法を提供することである。
【０００６】
【課題を解決するための手段】
上記目的を達成する為に、請求項１の発明の特徴は、ボイスメール、Ｅメール及び電話の送受信を行う通信機能とメモリに蓄積した音楽を再生する音楽再生機能とを有する携帯端末の通信方法において、前記音楽再生中にボイスメールの着信を検出するステップと、前記ボイスメールの着信が検出されると音楽再生を中断してボイスメールを受信したことを音声で知らせるステップと、マイクロフォンから入力されたユーザの音声指示を音声認識するステップと、前記音声指示の音声認識結果からボイスメールを返信するかどうかを判定するステップと、前記返信すると判定した場合は、その後、前記マイクロフォンから入力するユーザの返信ボイスメールを前記メモリに一旦保存するステップと、前記返信ボイスメールの保存が終了すると、前記音楽の再生に戻るステップと、返信のために前記メモリに保存してあった返信ボイスメールを読み出すステップとを有することにある。
【０００９】
請求項２の発明の特徴は、ボイスメール、Ｅメール及び電話の送受信を行う通信機能とメモリに蓄積した音楽を再生する音楽再生機能とを有する携帯端末の通信方法において、前記音楽再生中にコマンドキーが押されたことを検出するステップと、前記コマンドキーが押されたことが検出されると音楽再生レベルを落とすか又は音楽再生を中断するステップと、前記マイクロフォンから入力されたユーザのボイスメールを送信する旨の音声指示を音声認識するステップと、前記ボイスメールの宛先を確認する音声を発生するステップと、前記マイクロフォンからのユーザの音声指示を音声認識した結果から宛先確認の是非を判定するステップと、前記ユーザの音声指示から宛先が正しいと判定するとボイスメールを入力することを促す音声を発生するステップと、前記マイクロフォンから入力されたボイスメールを前記メモリに一旦保存するステップと、前記ボイスメールの保存が終了すると、前記音楽の通常再生に戻るステップと、前記宛先に送信するために前記メモリに保存してあったボイスメールを読み出すステップとを有することにある。
【００１５】
【発明の実施の形態】
以下、本発明の実施の形態を図面に基づいて説明する。図１は、本発明の携帯端末の通信方法の一実施形態に係る携帯端末の構成を示したブロック図である。携帯端末は、音楽再生や通信動作などの個別制御及び装置全体の制御を行うＣＰＵ１、メッセージの送受信を行う通信コントローラ２、音楽やメッセージ等の各種情報を蓄積するメモリ３、通信情報や装置の動作状態を表示するＬＣＤ等の表示装置４、ＣＰＵ１に各種指示やデータをキー入力するキー操作部５、マイクロフォン（マイク）７、スピーカ（イヤホーン）８及び手元スイッチ９を接続する入出力インターフェース６、ユーザの音声を集音するマイク７、音声を出力するスピーカ（イヤホーン）８、手元で装置に対する指示を出す手元スイッチ９、通信用のアンテナ１０を有している。
【００１６】
図２は図１に示した携帯端末の外形例を示した図である。本体５０に手元スイッチ９を介してマイク７とイヤホーン８が接続されている。
【００１７】
次に、本実施形態の動作について説明する。まず、通信コントローラ２を用いて、音楽配信センター等にアクセスし、配信してもらった音楽情報をメモリ３に蓄積しておく。或いは、外部の再生装置で再生した音楽情報をメモリ３に蓄積しておく。その後、ＣＰＵ１によりメモリ３に蓄積された音楽情報を再生して入出力インターフェース６からスピーカ（イヤホーン）８に送ることにより、スピーカ８から音楽を出力することができる。このような音楽の再生中にボイスメールの着信があった場合の装置の動作手順を示したものが図３のフローチャートである。
【００１８】
図３のステップ３０１にて音楽再生中に、ステップ３０２にて、通信コントローラ２にボイスメールの着信があった場合、ＣＰＵ１はステップ３０３に進み、音楽再生を一旦中断した後、予め周知のアドレス機能を有している場合には、入来する電話番号と予め記憶されている相手先番号とを対比して相手先名前データを音声データに変換して、相手の名前と共にボイスメールが着信したことを告げる音声をイヤホーン８から出力する。その後ステップ３０４にてユーザの音声指示或いは手元スイッチ９の操作を待ち、ボーイスメールを受ける音声指示又は操作があった場合、或いは所定時間ユーザからの何らかのアクションが無かった（無応答）場合はステップ３０５に進み、ボイスメールを受けない音声指示又は操作があった場合は、ステップ３０１の音楽再生へ戻る。
【００１９】
ステップ３０５では、着信してメモリ３に入っているボイスメールを再生し、それに対して、ユーザが返信するかどうかをステップ３０６で判定する。ユーザが返信の音声指示又はキー操作を行なわない時は、ステップ３０１に戻り、行った時はステップ３０７に進んで、ユーザがマイク７に吹き込む返信ボイスメールをメモリ３に格納し、ステップ３０１に戻り、音楽の再生に戻る。
【００２０】
その後、通信コントローラ２は、入来した相手先電話番号に基づき周知の方法で前記ボイスメールの相手先に電話を掛け、前記メモリ３に格納された返信ボイスメールを前記相手先に送信する。この際、ボイスメールの送信は音楽再生と平行して自動的に行われ、ユーザは前記返信ボイスメールの送信を意識することはない。
【００２１】
図４は音楽の再生中に電話の着信があった場合の装置の動作手順を示したフローチャートである。ステップ４０１で音楽再生中に、ステップ４０２にて、電話の着信があった場合、ステップ４０３に進み、音楽再生を一旦中断した後、相手の名前と共に電話が着信したことを告げる音声をイヤホーン８から出力する。その後、ステップ４０４にてユーザの音声指示又は手元スイッチ９の操作待ちを行い、電話を受ける音声指示又は操作があった場合或いは、所定時間、何の音声指示又は操作もない場合はステップ４０５に進む。しかし、音声指示又は手元スイッチ９の操作で電話を受けない指示があった場合はステップ４０７に進む。ステップ４０７では、通信コントローラ２を介して留守番電話で応答処理をした後、ステップ４０１の音楽再生に戻る。
【００２２】
一方、ステップ４０５に進んだ場合は、通信コントローラ２を介して相手先と電話のやり取りをするが、この時、イヤーホーン８は受話機能を、マイク７は送話機能を果たすことになる。電話が終了すると、ステップ４０１に戻り、音楽再生を再開する。
【００２３】
図５は図３のステップや図４のステップでのユーザの操作指示を音声で行う場合の詳細処理手順を示したフローチャートである。ステップ５０１でユーザに何らかの選択が生じた場合、ステップ５０２に進み、返信又は応答するかどうかをユーザに尋ねる音声を発生した後、マイク７の感度を下げて、雑音対策を行い、ステップ５０２で、雑音が許容範囲外であるかどうかを判定する。その結果、許容範囲外であった場合はステップ５０７に進み、許容範囲内である場合はステップ５０５に進んで、規定時間待った後、ステップ５０６で音声認識処理を行う。この音声認識処理の結果により、着信に応答するかどうかを判定することになる。
【００２４】
一方、ステップ５０７に進んだ場合は、再度マイク７の感度を下げ、ステップ５０８で許容範囲外であるかどうかを判定し、許容範囲外であった場合はステップ５０９に進んで、雑音が多くてコントロールできないため、ユーザにキー操作を行うように勧告する音声を発生した後、ステップ５１０のキー操作に進む、このキー操作によって、着信に応答するかどうかを判定することになる。ステップ５０８で許容範囲内であると判定した場合はステップ５０５に進む。
【００２５】
図６は音楽再生中に電話を掛ける場合の処理手順を示したフローチャートである。ステップ６０１の音楽の再生中に、ステップ６０２でユーザのキー操作によるコマンド入力があると、ステップ６０３にて音楽再生レベルを低くする。ステップ６０４でユーザの「ＯＯへ電話を掛ける」という音声指示を検出すると、ステップ６０５で電話の相手先を確認する音声を発生する。それがステップ６０６で了承されたかどうかを判定し、了承されない場合は、ステップ６０４に戻り、了承された場合は、ステップ６０７に進み、前記相手先（ＯＯさん）に電話を掛けて呼び出す動作を行い、その後、相手と電話で話して、電話が終了すると、ステップ６０１に戻る。
【００２６】
図７は音楽再生中にボイスメール／Ｅメールを送信する場合の処理手順を示したフローチャートである。ステップ７０１の音楽の再生中に、ステップ７０２でユーザのキー操作によるコマンド入力があると、ステップ７０３にて音楽再生レベルを低くする。ステップ７０４でユーザの「ＯＯへ伝言／Ｅメールを送る」という音声を検出すると、ステップ７０５で電話の相手先を確認する音声を発生し、ステップ７０６で了承されたかどうかを判定し、了承されない場合は、ステップ７０４に戻る。了承された場合は、ステップ７０７に進み、ここで、ユーザにボイスメール又はＥメールを吹き込むことを促し、ステップ７０８で吹き込まれたボイスメール又はＥメールをメモリ３に保存した後、ステップ７０９で、前記相手先に発信して前記ボイスメール又はＥメールを送信した後、ステップ７０１に戻って、音楽再生を再開する。尚、Ｅメールの送信の際、マイクロフォン７からユーザが吹き込んだメッセージをそのまま音声の形でＥメールとして送信しても良いが、音声認識して文字列に変換し、この文字列をＥメールとして送信しても良い。
【００２７】
図８は音楽再生中に居留守を設定する場合の処理手順を示したフローチャートである。ステップ８０１の音楽の再生中に、ステップ８０２でユーザのキー操作によるコマンド入力があると、ステップ８０３にて音楽再生レベルを低くする。ステップ８０４で「Ｔ時まで居留守対応」という音声を検出すると、ステップ８０５で居留守の時間帯を確認する音声を発生し、ステップ８０６で了承されたかどうかを判定し、了承されない場合は、ステップ８０４に戻る。
【００２８】
了承された場合は、ステップ８０７に進み、Ｔ時まで居留守モードにして、ステップ８０１に戻って音楽の再生を再開する。この居留守モードで、音楽再生中に電話が掛かってくると、ＲＩＮＧ（リーン、リーン）が入るだけで、そのまま留守番電話に入って、用件がある場合は録音される。
【００２９】
本実施形態によれば、音楽再生中、ボイスメール／Ｅメールあるいは電話の着信がある場合、ユーザに音声で着信を知らせるが、この時、ユーザは音声で返信する又は応答するかどうかを指示でき、また、音楽再生中に、ボイスメール／Ｅメールの送信或いは電話を掛ける時、ユーザは音声で通信機能を動作させることできるため、音楽再生中でも、ボイスメール／Ｅメール或いは電話の着信を操作性良く且つ的確に処理することができ、同様に、ボイスメール／Ｅメールの送信或いは電話を掛ける時も操作性良く且つ的確に送信機能を動作させることができる。
【００３０】
【発明の効果】
以上詳細に説明したように、本発明の携帯端末の通信方法によれば、音楽再生中に通信機能を的確且つ操作性良く動作させることができる。
【図面の簡単な説明】
【図１】本発明の携帯端末の通信方法の一実施形態に係る携帯端末の構成を示したブロック図である。
【図２】図１に示した携帯端末の外形例を示した図である。
【図３】音楽の再生中にボイスメールの着信があった場合の装置の動作手順を示したフローチャートである。
【図４】音楽の再生中に電話の着信があった場合の装置の動作手順を示したフローチャートである。
【図５】図３のステップや図４のステップでのユーザの操作指示を音声で行う場合の処理手順を示したフローチャートである。
【図６】音楽再生中に電話を掛ける場合の処理手順を示したフローチャートである。
【図７】音楽再生中にボイスメール／Ｅメールを送信する場合の処理手順を示したフローチャートである。
【図８】音楽再生中に居留守を設定する場合の処理手順を示したフローチャートである。
【符号の説明】
１  ＣＰＵ
２  通信コントローラ
３  メモリ
４  表示装置
５  キー操作部
６  入出力インターフェース
７  マイクロフォン
８  スピーカ
９  手元スイッチ
１０  アンテナ
５０  本体
【図１】
0003678115.tif 000002
【図２】
0003678115.tif 000003
【図３】
0003678115.tif 000004
【図４】
0003678115.tif 000005
【図５】
0003678115.tif 000006
【図６】
0003678115.tif 000007
【図７】
0003678115.tif 000008
【図８】
0003678115.tif 000009